(57)【特許請求の範囲】
【請求項１】
軟質合成樹脂製の第１の扁平筒体からなる袋本体と、前記袋本体に溶着され、この袋本体の内部に差し込まれた軟質合成樹脂製の第２の扁平筒体からなる注入体と、を備え、前記袋本体の上方開口端及び下方開口端は、前記袋本体の一対の側部が前記袋本体の内側に折り込まれた状態でそれぞれ溶着されることにより、前記袋本体の上底及び下底を形成し、前記袋本体の折り込まれた部分の下底のコーナー部は水が入らないように溶着により塞がれてなる水嚢袋の使用方法であって、
前記注入体の注入口から前記袋本体の内部に水を注入し、注入された水の圧力により前記注入体の差し込み部分の内面を密着させ、前記袋本体の内部に注入された水を抜く時は、前記注入体の注入口から弾性を有する薄板体を前記袋本体の内部に丸めて挿入して該薄板体を前記注入体の内面に密着して筒状に弾性変形させ、前記袋本体を押圧することにより筒状に弾性変形された薄板体を介して水を抜くことを特徴とする水嚢袋の使用方法。
【発明の詳細な説明】
【技術分野】
【０００１】
本発明は、水害防止用の水止フェンスや、災害等の緊急時の貯水袋等として利用可能な水嚢袋及びその使用方法に関する。
【背景技術】
【０００２】
従来、水害防止用の止水フェンスには土嚢が用いられていたが、土嚢に土や砂等を詰める作業や、撤去作業には多く労力が必要とされていた。そこで、土嚢の代わりに、これらの作業が比較的容易な水嚢を用いることが提案された。
【０００３】
特許文献１には、防水性布又はシートで作った袋に、吸水口、排水口を設け、ポンプ等で水を張り込み使用するものが記載されている。
【０００４】
特許文献２には、硬質合成樹脂製の開口された剛性箱体と、この剛性箱体の中に設置される軟質合成樹脂製の水袋から構成されたものが記載されている。
【先行技術文献】
【特許文献】
【０００５】
【特許文献１】特開２００８−６３９２５号公報
【特許文献２】実用新案登録第３１２９１９２号公報
【発明の概要】
【発明が解決しようとする課題】
【０００６】
しかしながら、特許文献１に記載された発明のように、ただ単に袋に水を張り込むものでは、袋が潰れ易いという問題がある。また、特許文献２に記載された発明のように硬質材料を用いれば袋の形状を保持することができるが、薄く折り畳むことができないため、保管スペースが大きくなるという問題がある。
【０００７】
さらに、特許文献１に記載された発明において、吸水口等に栓や逆止弁を設ければ、水嚢袋の漏水を防ぐことができるが、コンパクトに折り畳んで保管することが難しくなるという問題もあった。
【課題を解決するための手段】
【０００９】
本発明の水嚢袋の使用方法は、軟質合成樹脂製の第１の扁平筒体からなる袋本体と、前記袋本体に溶着され、この袋本体の内部に差し込まれた軟質合成樹脂製の第２の扁平筒体からなる注入体と、を備え、前記袋本体の上方開口端及び下方開口端は、前記袋本体の一対の側部が前記袋本体の内側に折り込まれた状態でそれぞれ溶着されることにより、前記袋本体の上底及び下底を形成し、前記袋本体の折り込まれた部分の下底のコーナー部は水が入らないように溶着により塞がれてなる水嚢袋の使用方法であって、
前記注入体の注入口から前記袋本体の内部に水を注入し、注入された水の圧力により前記注入体の差し込み部分の内面を密着させ、前記袋本体の内部に注入された水を抜く時は、前記注入体の注入口から弾性を有する薄板体を前記袋本体の内部に丸めて挿入して該薄板体を前記注入体の内面に密着して筒状に弾性変形させ、前記袋本体を押圧することにより筒状に弾性変形された薄板体を介して水を抜くことを特徴とする。
【発明の効果】
【００１０】
本発明によれば、水を注入した時に袋が潰れにくく、自立性に優れているので、効率的に水止フェンスを形成することができる。また、本発明によれば、袋本体と一体化された注入体の水圧密着効果で漏水を防止することができる。
【００１１】
さらに、本発明によれば、水嚢袋を構成する袋本体及び注入体がいずれも軟質合成樹脂製であり、これらが溶着により一体化されているので、コンパクトに折り畳んで狭い設置場所であっても多数保管することが可能になり、災害時や緊急時に保管場所から迅速に取り出して運搬し、設置することができる。
【００１２】
本発明の水嚢袋は、水害防止用の止水フェンスとしてだけでなく、災害等の緊急時に貯水袋等として、多目的に使用できるものである。
【図面の簡単な説明】
【００１３】
【図１】本発明の実施形態における水嚢袋の作成方法を示す正面図である。
【図２】本発明の実施形態における水嚢袋の正面図である。
【図３】本発明の実施形態における水嚢袋（水注入前の状態）の斜視図である。
【図４】本発明の実施形態における水嚢袋（水注入後の状態）の斜視図である。
【図５】本発明の実施形態における水嚢袋（水注入後の状態）を横転した状態を示す図である。
【図６】本発明の実施形態における水嚢袋（水注入後の状態）を横転し、水を抜く方法を示す図である。
【図７】本発明の実施形態における、第１変形例に係る水嚢袋の正面図である。
【図８】本発明の実施形態における、第２変形例に係る水嚢袋の正面図である。
【図９】本発明の実施形態における水嚢袋の第１設置例を示す図である。
【図１０】本発明の実施形態における水嚢袋の第２設置例を示す図である。
【図１１】本発明の実施形態における、第３変形例に係る水嚢袋の正面図である。
【図１２】本発明の実施形態における水嚢袋の第２設置例を示す図である。
【発明を実施するための形態】
【００１４】
次に、本発明の実施形態における水嚢袋１００を図面に基づいて説明する。先ず、図１に示すように、軟質合成樹脂製（例えば、ポリエチレン製）の第１の扁平筒体からなる袋本体１０を準備する。この袋本体１０は上方開口端１１、下方開口端１２を有し、これを扁平に折り畳んだ状態で一対の側部１３，１３を有している。そして、一対の側部１３，１３は、上下方向の折り目線１４を折り目として袋本体１０の内側に折り込まれる。
【００１５】
そして、図２及び図３に示すように、袋本体１０の上方開口端１１及び下方開口端１２は、袋本体１０の一対の側部１３，１３（１３ａ，１３ａ）が袋本体１０の内側に折り込まれた状態で、内面がそれぞれ上方溶着部１５ａと下方溶着部１５ｂで溶着（ヒートシール）されることにより、袋本体１０の上底１６及び下底１７を形成する。図２、図３において、１３ａは折り込まれた側部を示している。
【００１６】
また、袋本体１０の折り込まれた部分の下底の三角形状のコーナー部は水が入らないように４箇所のコーナー溶着部１８により塞がれる。コーナー溶着部１８は、折り目線１４から下方溶着部１５ｂに架かるように斜めに形成される。
【００１７】
また、注入体２０は、同じく軟質合成樹脂製の第２の扁平筒体からなるものであり、袋本体１０の上方開口端１１から内部に差し込まれる。注入体２０は上方溶着部１５ａにより、上方開口端１１と一緒に袋本体１０に溶着することができる。注入体２０は折り畳み可能な筒体であり、注入口２１と注出口２２を有している。そして、注入体２０の差し込み部分の内面は、袋本体１０の内部に注入された水の圧力により密着して漏水を防止するように構成されている。
【００１８】
この水嚢袋１００は、水害防止用の水止フェンスや、災害等の緊急時の貯水袋等としても利用可能であるが、貯水袋として利用する場合は、注入口２１からごみ等が入るのを防ぐために、注入口２１を開閉可能にするファスナー２３（もしくはチャック）を設けるこが好ましい。
【００１９】
図４に示すように、この水嚢袋１００に注入体２０を介して水を張ると、第１に、袋本体１０の下底１７は、コーナー溶着部１８を設けたことによって角底状に折り畳まれる。      
【００２０】
また、第２に、一対の側部１３，１３（１３ａ，１３ａ）が袋本体１０の内側に折り込まれていることにより剛性が高まる。これらの構成の相乗効果として、袋本体１０は潰れにくく、自立性に優れたものになるので、少ない個数でも効率的に水止フェンスを形成することができる。
【００２１】
また、図５に示すように、水嚢袋１００が横転したとしても、注入体２０の差し込み部分の内面は、袋本体１０の内部に注入された水２００の圧力により密着するので、漏水が防止される。
【００２２】
また、図４に示すように、水嚢袋１００が自立しており、注入体２０が水２００に漬かってない状態であっても、一旦水を通したことにより注入体２０の差し込み部分の内面は濡れ、水の表面張力により密着状態になるので、外部の衝撃等により水２００が暴れても、注入体２０から水が漏出することない。
【００２３】
これから分かるように、袋本体１０の内部に注入された水２００を抜くのは、押圧しただけでは困難である。そこで、図６に示すように、棒状筒体３０を注入体２０の注入口２１から袋本体１０の内部に挿入し、袋本体１０を外部から押圧することにより、この棒状筒体３０を介して、その出入口３１から水２００を簡単に抜き、再利用することができる。
【００２４】
また、棒状筒体３０の代わりに、弾性を有する薄板体（例えば、硬質合成樹脂製のシート）を注入体２０の注入口２１から袋本体１０の内部に丸めて挿入してもよい。これにより、薄板体は注入体２０の内面に密着して筒状に弾性変形するので、同様な効果を奏する。
【００２５】
また、薄板体は棒状筒体３０と比べると、丸める前は薄くなっているので、保管／収納スペースを少なくすることができる。この棒状筒体３０若しくは薄板体は、袋本体１０の内部に水２００を注入する時にも使用することができる。
【００２６】
次に、水嚢袋１００の幾つかの変形例を説明する。第１の変形例は、図７に示すように、注入体２０は、袋本体１０の折り込み部の上方開口端１１から内部に差し込まれたものである。第１の変形例は図８に示すように、注入体２０は、袋本体１０の折り込まれた側部１３ａから内部に差し込まれたものである。このように、注入体２０の位置は、適宜変更することができる。
【００２７】
次に、水嚢袋１００の幾つかの水止めフェンス用の設置例を説明する。第１の設置例は、図９に示すように、家屋の玄関ドア４０の前に樹脂等からなるシート５０をＬ字状に敷き、このシート５０上に水嚢袋１００を並設したものである。図９（ａ）は水止めフェンスの正面図、図９（ｂ）はその右側面図である。
【００２８】
第２の設置例は、図１０に示すように、家屋や駅入口に設けられた門柱６０，６０の間に複数列に水嚢袋１００を並設し、水止め効果を高めたものである。この場合は、図示しないシート５０を各列の間に介設することにより、さらに水止め効果を高めることができる。
【００２９】
次に、水嚢袋１００の第３変形例を図１１に基づいて説明する。この水嚢袋１００では、袋本体１０に取手用又は連結用の貫通穴１９が袋本体１０の上方溶着部１５ａの下に設けられている。水嚢袋１００を運搬する際には、この貫通穴１９に指を差し込むことにより、容易に持ち上げることができる。袋本体１０が破れるのを防止するために、貫通穴１９は袋本体１０の折り込み部に設けることが好ましい。貫通穴１９の個数は適宜変更することができる。
【００３０】
また、このように貫通穴１９を設けた袋本体１０を補強するために、貫通穴１９の下方の袋本体１０の内面が、補強用溶着部１５ｃにより溶着されていることが好ましい。この場合、貫通穴１９は上方溶着部１５ａと補強用溶着部１５ｃの間に設けられる。
【００３１】
図１２は、このような貫通孔付きの水嚢袋１００の第３設置例を示す図である。図示のように、隣接する水嚢袋１００は、それぞれの貫通穴１９を通した紐体７０により相互に連結されることにより、水止フェンスの補強がなされている。
【符号の説明】
【００３２】
１０  袋本体
１１  上方開口端
１２  下方開口端
１３，１３ａ  側部
１４  折り目線
１５ａ  上方溶着部
１５ｂ  下方溶着部
１５ｃ  補強用溶着部  
１６  上底
１７  下底
１８  コーナー溶着部
１９  貫通穴
２０  注入体
２１  注入口
２２  注出口
２３  ファスナー
３０  棒状筒体
３１  棒状筒体の出入口
４０  玄関ドア
５０  シート
６０  門柱
７０  紐体
１００  水嚢袋
【要約】
【課題】水を注入した時に袋が潰れにくく、自立性に優れ、効率的に水止フェンスを形成することができる水嚢袋を提供する。
【解決手段】水嚢袋１００は、軟質合成樹脂製の第１の扁平筒体からなる袋本体１０と、袋本体１０に溶着され、袋本体１０の内部に差し込まれた軟質合成樹脂製の第２の扁平筒体からなる注入体２０と、を備える。袋本体１０の上方開口端１１及び下方開口端１２は、袋本体１０の一対の側部１３，１３が袋本体１０の内側に折り込まれた状態でそれぞれ溶着されることにより、袋本体１０の上底１６及び下底１７が形成される。袋本体１０の折り込まれた部分の下底１７のコーナー部は水が入らないように溶着により塞がれており、袋本体１０の内部に注入された水の圧力により注入体２０の差し込み部分の内面が密着して漏水を防止するように構成されている。
【選択図】図２【図１】
0006793981.tif 000002
【図２】
0006793981.tif 000003
【図３】
0006793981.tif 000004
【図４】
0006793981.tif 000005
【図５】
0006793981.tif 000006
【図６】
0006793981.tif 000007
【図７】
0006793981.tif 000008
【図８】
0006793981.tif 000009
【図９】
0006793981.tif 000010
【図１０】
0006793981.tif 000011
【図１１】
0006793981.tif 000012
【図１２】
0006793981.tif 000013